(57)【要約】  加工トマト果実を提供する。加工トマトは、損なわれていない（ｉｎｔａｃｔ）果皮、および自然脱水の条件下で、１０より高いＢｒｉｘ値を有し、前記自然脱水が一般的に微生物腐敗を伴わないことで特徴付けられる。【選択図】なし【特許請求の範囲】
【請求項１】
損なわれていない（ｉｎｔａｃｔ）果皮、および自然脱水の条件下で、１０より高いＢｒｉｘ値を有する加工トマト果実であって、前記自然脱水が一般的に微生物腐敗を伴わない、前記トマト果実。
【請求項２】
損なわれていない果皮、および自然脱水の条件下で、７．１より高いＢｒｉｘ値を有する加工トマト果実であって、前記自然脱水が、一般的に微生物腐敗を伴わず、自然脱水のための前記条件が、前記Ｂｒｉｘ値に達するために十分な時間、熟した後に、加工トマト果実が蔓に留まることを可能にする工程を含む、前記トマト果実。
【請求項３】
自然脱水のための前記条件が、前記Ｂｒｉｘ値に達するために十分な時間、熟した後に、加工トマト果実が蔓に留まることを可能にする工程を含む、請求項１の加工トマト果実。
【請求項４】
自然脱水のための前記条件が、加工トマト果実の収穫前または収穫後に天日乾燥を含む、請求項１の加工トマト果実。
【請求項５】
脱水されている、請求項１または２の加工トマト果実。
【請求項６】
自然脱水されている、請求項１または２の加工トマト果実。
【請求項７】
完熟し、そして脱水に供されていない、請求項１または２の加工トマト果実。
【請求項８】
熟していない、請求項１または２の加工トマト果実。
【請求項９】
前記自然脱水が、収穫後、成熟後の加工トマト果実の前記の損なわれていない果皮の皺形成と定義される、請求項１または２の加工トマト果実。
【請求項１０】
果皮の皺形成を得るように、果実の脱水を可能にする、損なわれていない果皮によって特徴付けられる、請求項１または２の加工トマト果実。
【請求項１１】
前記加工トマト果実ゲノムが、ｃｗｐポリペプチドをコードする核酸配列を含み、前記ｃｗｐポリペプチドが水透過性増加を引き起こす、請求項１または２の加工トマト果実。
【請求項１２】
前記核酸配列が、異種プロモーターの転写制御下にある、請求項１１の加工トマト。
【請求項１３】
前記核酸配列が、野生型リコペルシコン属（Ｌｙｃｏｐｅｒｓｉｃｏｎ）種由来の遺伝子移入の一部を形成し、前記遺伝子移入が、前記リコペルシコン属種の染色体４の部分を含む、請求項１１の加工トマト。
【請求項１４】
前記リコペルシコン属種の染色体４の前記部分が、テロメアマーカーＴＧ４６４からセントロメアマーカーＣＴ１７３に渡る染色体部分より小さい、請求項１３の加工トマト。
【請求項１５】
前記リコペルシコン属種が、リコペルシコン・ヒルスツム（Ｌｙｃｏｐｅｒｓｉｃｏｎ  ｈｉｒｓｕｔｕｍ）である、請求項１３の加工トマト。
【請求項１６】
完熟し、そして前記の自然脱水より前に、４０〜８０グラムの重量である、請求項１または２の加工トマト。
【請求項１７】
完熟し、そして前記の自然脱水より前に、６０〜８０グラムの重量である、請求項１または２の加工トマト。
【請求項１８】
前記Ｂｒｉｘ値が１２〜３０である、請求項１または２の加工トマト。
【請求項１９】
前記Ｂｒｉｘ値が１２〜２５である、請求項１または２の加工トマト。
【請求項２０】
前記Ｂｒｉｘ値が１２〜２０である、請求項１または２の加工トマト。
【請求項２１】
完熟し、そして前記の自然脱水より前に、５より低いＢｒｉｘ値を有する、請求項１または２の加工トマト。
【請求項２２】
請求項１〜２１のいずれか一項の果実を含む植物。
【請求項２３】
請求項１〜２１のいずれか一項のトマト果実の種子。
【請求項２４】
請求項２３の種子を含む、種が蒔かれた（ｓｏｗｎ）畑。
【請求項２５】
請求項２３の種子を含む、種子バッグ。
【請求項２６】
トマトペーストを製造する方法であって：
脱水加工トマトを得るように、請求項１〜２１のいずれか一項の加工トマトを、自然脱水に供し；そして続いて、前記脱水加工トマトを細かく砕くかまたは液体に浸して柔らかくして（ｍａｃｅｒａｔｉｎｇ）、それによってトマトペーストを製造する
工程を含む、前記方法。
【請求項２７】
請求項２６の方法にしたがって生成されたトマトペースト。
【請求項２８】
請求項１〜２１のいずれか一項の加工トマトまたはその可食部分を含む、食用加工トマト製品。
【請求項２９】
トマトペースト、ケチャップ、トマトソース、トマトスープ、トマトジュース、トマト粉末、トマトダイス、クラッシュトマト、チョップトマトおよびトマト濃縮物からなる群より選択される、請求項２８の食用加工トマト製品。
【請求項３０】
請求項１〜２１のいずれか一項のトマトを製造する方法であって：
ハイブリッド植物を得るように、加工トマト植物を野生型リコペルシコン属種と交配し；そして
自然脱水に供する際に、７．１より高いＢｒｉｘ値を示す果実を有する前記ハイブリッド植物の植物を選択し、それによって、請求項１〜２１のいずれか一項のトマトを製造する
工程を含む、前記方法。
【請求項３１】
前記ハイブリッド植物を自己交配し、そして前記加工トマト植物と戻し交配する工程をさらに含む、請求項３０の方法。
【請求項３２】
自然脱水に供する際、７．１または１０より高いＢｒｉｘ値を有する加工トマト果実であって、前記加工トマトの種子の代表的なサンプルが、ブダペスト条約下で寄託されている（例えば表１を参照されたい）、前記トマト果実。
【請求項３３】
自然脱水に供する際、７．１または１０より高いＢｒｉｘ値を有する加工トマト果実であって、前記加工トマトの種子の代表的なサンプルが、ＮＣＩＭＢ  Ｌｔｄ．（Ｆｅｒｇｕｓｏｎ  Ｂｕｉｌｄｉｎｇ  Ｃｒａｉｂｓｔｏｎｅ  Ｅｓｔａｔｅ，  Ｂｕｃｋｓｂｕｒｎ．  Ａｂｅｒｄｅｅｎ  Ｓｃｏｔｌａｎｄ）にＸＸＸ（１０２７系統）またはＸＸＸ（１０２８系統）下、ブダペスト条約下で寄託されている、前記トマト果実。
【請求項３４】
近交系である、請求項２２の植物。
【請求項３５】
ハイブリッド植物である、請求項２２の植物。
【発明の詳細な説明】
【技術分野】
【０００１】
本発明は、そのいくつかの態様において、加工トマト、および該トマトを製造し、そして用いる方法に関する。
【背景技術】
【０００２】
トマトは、濃縮トマトペーストを含めて、多様な加工製品の形で用いられる。トマトペーストの製造は、トマト果肉の脱水によって行われる、エネルギー要求性の濃縮工程に依存する。一般的に、ペースト製造に用いられるトマト果実およびそこから製造される果肉は、９０〜９５％の間の水分を含む。ペーストから取り除かれる部分、例えば果皮および種子を含まない、果肉の残りは、一般的に４〜６％の間を構成し、トマト固形分と称される。
【０００３】
新鮮なトマトは、一般的に、１回の収穫で機械的に収穫され、これは、集中した収穫期を有する限定生長習慣品種を育種することによって可能となってきた。一方で、収穫可能な熟した果実収量が最大に達する必要があるが、標準的なトマト果実は、果実腐敗を含む多くの問題に感受性であろうため、それほど長く蔓上に放置しておくことはできないことによって、収穫期間のウィンドウは、枠が決められ、そして限定されている。
【０００４】
主に水であるこうした多量の収穫トマトを、畑から工場に輸送する際に伴うコストおよび困難とともに、加工工場に到着した際のエネルギー要求性の脱水および濃縮工程を考慮して、トマトペースト製造に使用可能な自然脱水トマトの開発に関する必要性がある。これらのトマトは、畑で蔓に付着したまま、自然に脱水するか、または蔓から離れて脱水し、それによって輸送のための体積を減少させ、そしてまた植物加工においてエネルギー要求性の脱水を減少させるであろう。
【０００５】
自然脱水トマトは、以前記載されてきている（Ｕ．Ｓ．  ７，１１９，２６１）。これらは、トマトの緑色果実野生種由来のｃｗｐ遺伝子のアレルを遺伝子移入することによって開発された。野生種アレルは、果実を発展させる際に発現され、熟す際に脱水が自然に起こることを可能にする、果皮の微小亀裂（ｍｉｃｒｏｆｉｓｓｕｒｅ）の発展を引き起こす。ＰＣＴ公報ＷＯ２００６／０３０４４５は、成熟した赤いトマト果実の表皮水透過性（ＣＷＰ）を増加させ、そして損なわれていない（ｉｎｔａｃｔ）果実の脱水を導くｃｗｐ遺伝子の単離および特徴付けを解説する。
【０００６】
野生種ｃｗｐアレルを宿する限定トマト品種は、これらの果実を用いてトマトペーストを製造する試みにおいて、産業トマトとしてオープンフィールドで育てられてきた（ＰＣＴ公報ＷＯ２００８／１１９６１８）。ＷＯ２００８／１１９６１８において、野生種ｃｗｐアレルを有するトマトは、通常の収穫段階の約５のＢｒｉｘ値に比較した際、Ｂｒｉｘ値の約７までの中程度の増加を伴い、通常の収穫段階を過ぎた未知の期間に渡って、蔓上に留まることが可能になった。１６  Ｂｒｉｘのペーストを製造するための標準的産業法を用いて、これらの中程度に脱水されたトマトの果肉から、ペーストが製造された。これらの工程は、真空チャンバー中、熱（７０℃）を加えて、果肉混合物を蒸発させることを含んだ（ＥＰ２１３１６６２Ｂ１、［００７３］）。さらに、ＰＣＴ公報ＷＯ  ２００８／１１９６１８は、Ｂｒｉｘ  〜５の通常の収穫段階で収穫され、そして次いでオーブンで脱水されて、１４のＢｒｉｘに到達する、こうしたトマトからのペーストの製造を記載する。オーブンでの脱水後のこれらのトマト由来の果肉もまた、トマトペーストを製造するための標準法を用いた、１６  Ｂｒｉｘのペーストを製造するために用いられた。
【０００７】
したがって、先行技術は、自然、非オーブンの脱水トマトから製造された、〜７のＢｒｉｘであるペースト、ならびに、オーブン乾燥トマトから製造された、７より高いＢｒｉｘに達したペーストを記載する。食味パネルの結果は、〜１０より高いＢｒｉｘに達した乾燥トマトが、劣った食味のペーストを製造し、これらのトマトをペースト製造に不適切にしていることを示した。
【先行技術文献】
【特許文献】
【０００８】
【特許文献１】Ｕ．Ｓ．  ７，１１９，２６１
【特許文献２】ＰＣＴ公報ＷＯ２００６／０３０４４５
【特許文献３】ＰＣＴ公報ＷＯ２００８／１１９６１８
【特許文献４】ＥＰ２１３１６６２Ｂ１、［００７３］
【発明の概要】
【０００９】
本発明のいくつかの態様の側面にしたがって、損なわれていない（ｉｎｔａｃｔ）果皮、および自然脱水の条件下で、１０より高いＢｒｉｘ値を有する加工トマト果実であって、該自然脱水が一般的に微生物腐敗を伴わない、前記トマト果実を提供する。
【００１０】
本発明のいくつかの態様の側面にしたがって、損なわれていない果皮、および自然脱水の条件下で、７．１より高いＢｒｉｘ値を有する加工トマト果実であって、該自然脱水が、一般的に微生物腐敗を伴わず、自然脱水のための該条件が、該Ｂｒｉｘ値に達するために十分な時間、熟した後に、加工トマト果実が蔓に留まることを可能にする工程を含む、前記トマト果実を提供する。
【００１１】
本発明のいくつかの態様にしたがって、自然脱水のための条件は、該Ｂｒｉｘ値に達するために十分な時間、熟した後に、加工トマト果実が蔓に留まることを可能にする工程を含む。
【００１２】
本発明のいくつかの態様にしたがって、自然脱水のための条件は、加工トマト果実の収穫前または収穫後に天日乾燥を含む。
【００１３】
本発明のいくつかの態様にしたがって、加工トマトは脱水されている。
【００１４】
本発明のいくつかの態様にしたがって、加工トマトは自然脱水されている。
【００１５】
本発明のいくつかの態様にしたがって、加工トマトは完熟し、そして脱水に供されていない。
【００１６】
本発明のいくつかの態様にしたがって、加工トマトは熟していない。
【００１７】
本発明のいくつかの態様にしたがって、自然脱水は、収穫後、成熟後の加工トマト果実の損なわれていない果皮の皺形成と定義される。
【００１８】
本発明のいくつかの態様にしたがって、加工トマトは、果皮の皺形成を得るように、果実の脱水を許容する、損なわれていない果皮によって特徴付けられる。
【００１９】
本発明のいくつかの態様にしたがって、加工トマト果実ゲノムは、ｃｗｐポリペプチドをコードする核酸配列を含み、該ｃｗｐポリペプチドが水透過性増加を引き起こす。
【００２０】
本発明のいくつかの態様にしたがって、核酸配列は、異種プロモーターの転写制御下にある。
【００２１】
本発明のいくつかの態様にしたがって、核酸配列は、野生型リコペルシコン属（Ｌｙｃｏｐｅｒｓｉｃｏｎ）種由来の遺伝子移入の一部を形成し、該遺伝子移入は、該リコペルシコン属種の染色体４の部分を含む。
【００２２】
本発明のいくつかの態様にしたがって、リコペルシコン属種の染色体４の部分は、テロメアマーカーＴＧ４６４からセントロメアマーカーＣＴ１７３に渡る染色体部分より小さい。
【００２３】
本発明のいくつかの態様にしたがって、リコペルシコン属種は、リコペルシコン・ヒルスツム（Ｌｙｃｏｐｅｒｓｉｃｏｎ  ｈｉｒｓｕｔｕｍ）である。
【００２４】
本発明のいくつかの態様にしたがって、加工トマトは、完熟し、そして自然脱水より前に、４０〜８０グラムの重量である。
【００２５】
本発明のいくつかの態様にしたがって、加工トマトは、完熟し、そして自然脱水より前に、６０〜８０グラムの重量である。
【００２６】
本発明のいくつかの態様にしたがって、Ｂｒｉｘ値は１２〜３０である。
【００２７】
本発明のいくつかの態様にしたがって、Ｂｒｉｘ値は１２〜２５である。
【００２８】
本発明のいくつかの態様にしたがって、Ｂｒｉｘ値は１２〜２０である。
【００２９】
本発明のいくつかの態様にしたがって、加工トマトは、完熟し、そして自然脱水より前に、５より低いＢｒｉｘ値を有する。
【００３０】
本発明のいくつかの態様の側面にしたがって、該果実を含む植物を提供する。
【００３１】
本発明のいくつかの態様の側面にしたがって、該トマト果実の種子を提供する。
【００３２】
本発明のいくつかの態様の側面にしたがって、該種子を含む、種が蒔かれた（ｓｏｗｎ）畑を提供する。
【００３３】
本発明のいくつかの態様の側面にしたがって、該種子を含む、種子バッグを提供する。
【００３４】
本発明のいくつかの態様の側面にしたがって、トマトペーストを製造する方法であって：
脱水加工トマトを得るように、加工トマトを、自然脱水に供し；そして続いて、該脱水加工トマトを細かく砕くかまたは液体に浸して柔らかくして（ｍａｃｅｒａｔｉｎｇ）、それによってトマトペーストを製造する
工程を含む、前記方法を提供する。
【００３５】
本発明のいくつかの態様の側面にしたがって、該方法にしたがって生成されたトマトペーストを提供する。
【００３６】
本発明のいくつかの態様の側面にしたがって、加工トマトまたはその可食部分を含む、食用加工トマト製品を提供する。
【００３７】
本発明のいくつかの態様にしたがって、食用加工トマト製品は、トマトペースト、ケチャップ、トマトソース、トマトスープ、トマトジュース、トマト粉末、トマトダイス、クラッシュトマト、チョップトマトおよびトマト濃縮物からなる群より選択される。
【００３８】
本発明のいくつかの態様の側面にしたがって、トマトを製造する方法であって：
ハイブリッド植物を得るように、加工トマト植物を野生型リコペルシコン属種と交配し；そして
自然脱水に供する際に、７．１より高いＢｒｉｘ値を示す果実を有するハイブリッド植物の植物を選択し、それによって、トマトを製造する
工程を含む、前記方法を提供する。
【００３９】
本発明のいくつかの態様にしたがって、方法は、ハイブリッド植物を自己交配し、そして加工トマト植物と戻し交配する工程をさらに含む。
【００４０】
本発明のいくつかの態様の側面にしたがって、自然脱水に供する際、７．１または１０より高いＢｒｉｘ値を有する加工トマト果実であって、該加工トマトの種子の代表的なサンプルが、ＮＣＩＭＢ  Ｌｔｄ．（Ｆｅｒｇｕｓｏｎ  Ｂｕｉｌｄｉｎｇ  Ｃｒａｉｂｓｔｏｎｅ  Ｅｓｔａｔｅ，  Ｂｕｃｋｓｂｕｒｎ．  Ａｂｅｒｄｅｅｎ  Ｓｃｏｔｌａｎｄ）にＸＸＸ（１０２７系統）またはＸＸＸ（１０２８系統）下、ブダペスト条約下で寄託されている、前記トマト果実を提供する。
【００４１】
別に定義しない限り、本明細書で用いるすべての技術的および／または科学的用語は、本発明が属する技術分野の一般的な当業者によって一般的に理解されるのと同じ意味を有する。本明細書に記載するものと類似のまたは同等の方法および材料が、本発明の態様の実施または試験において使用可能であるが、例示的な方法および／または材料を以下に記載する。矛盾する場合は、定義を含めて本明細書が統制する。さらに、材料、方法、および実施例は例示のみであり、そして必ずしも限定を意図しない。
【図面の簡単な説明】
【００４２】
本発明のいくつかの態様を、付随する図に関連して、例として本明細書に記載する。ここで、図に詳細に特に関連して示す明細は例としてのものであり、そして本発明の態様の例示的な考察を目的とするものであることが強調される。これに関連して、図とともに行われる説明は、当業者に、本発明の態様をどのように実施可能であるかを明らかにする。
【図１Ａ】図１Ａ〜Ｆは、本発明の解説にしたがって生成された系統４の画像である。
【図１Ｂ】図１Ａ〜Ｆは、本発明の解説にしたがって生成された系統４の画像である。
【図１Ｃ】図１Ａ〜Ｆは、本発明の解説にしたがって生成された系統４の画像である。
【図１Ｄ】図１Ａ〜Ｆは、本発明の解説にしたがって生成された系統４の画像である。
【図１Ｅ】図１Ａ〜Ｆは、本発明の解説にしたがって生成された系統４の画像である。
【図１Ｆ】図１Ａ〜Ｆは、本発明の解説にしたがって生成された系統４の画像である。
【図１Ｇ】図１Ｇは、自然脱水後の４つの異なる脱水トマトの画像である。脱水前の完熟トマトに関して、すべての重量を提供する。上部右（３つ組）、系統３、生重量（ｆｒｅｓｈ  ｗｅｉｇｈｔ）およそ５０ｇ。上部左（３つ組）、系統４、生重量およそ４０ｇ。下部左（３つ組）、系統５、生重量およそ３０ｇ。下部右（３つ組）、レーズントマトのチェリー品種、生重量およそ１５ｇ。系統３〜５は、限定習性のトマトを示す。
【図２】図２は、ハブロカイテス（Ｈａｂｒｏｃｈａｉｔｅｓ）由来のＰＣＲ産物（２４８ｂｐ）および３５ｂｐ欠失を示すリコペルシコン属由来のＰＣＲ産物（２１３ｂｐ）を示す２％アガロースゲル中の電気泳動画像である。
【発明を実施するための形態】
【００４３】
本発明は、いくつかの態様において、加工トマト、および該トマトを製造し、そして用いる方法に関する。
【００４４】
本発明の少なくとも１つの態様を詳細に説明する前に、本発明は必ずしも、その適用において、以下の説明に示すかまたは実施例に例示する詳細に限定されないことが理解されるものとする。本発明は、他の態様が可能であるし、あるいは多様な方法で実施または実行されることも可能である。
【００４５】
加工トマト製品の米国消費は、過去２０年間増加し続けている。加工産業に関して、消費増加の多くは、人気の食品および香辛料、例えばピザ、パスタ、サルサおよびケチャップにおいて用いられるトマト製品の存在が増加していることに起因する。
【００４６】
主に水である、多量の収穫した加工トマトを、畑から工場に輸送する際に伴うコストおよび困難とともに、加工工場に到着した際のエネルギー要求性の脱水および濃縮工程を考慮して、加工トマト製品製造に使用可能な自然脱水加工トマトの開発に関する必要性がある。
【００４７】
本発明を実施する際、本発明者らは、オーブン乾燥の使用を伴わず、周囲温度（天日乾燥）で自然に脱水可能にした際、１０より高いＢｒｉｘ値によって特徴付けられる加工トマトを開発した。これらのトマトは、Ｌ．エスキュレンツム（Ｌ．  ｅｓｃｕｌｅｎｔｕｍ）とＬ．ヒルスツムの交差ハイブリッド形成によって開発されてきている。これらのトマトは、ｃｗｐの野生種アレルを遺伝子移入し、自然脱水を可能にすることによって特徴付けられる。こうして得られたトマト果実は、高レベルの脱水、および液体に浸して柔らかくした（ｍａｃｅｒａｔｅｄ）果肉の７より高くそして３０もの高さのＢｒｉｘ値に達する。これらの部分的に脱水されたトマトを、優れた食味の濃縮トマト果実の直接製造に用いてもよい。本発明のいくつかの態様のトマト果実から生成したペーストなどの加工製品は、商業的に入手可能なものより高いレベルの、ＧＡＢＡ、グルタミン、プロリン、システイン、メチオニンおよび総遊離アミノ酸を含み、栄養価および食味に関して特に好ましいものになっていることで特徴付けられる。
【００４８】
したがって、本発明の側面にしたがって、損なわれていない果皮、および自然脱水条件下で、１０より高いＢｒｉｘ値を有する加工トマト果実であって、前記自然脱水が一般的に微生物腐敗を伴わない、前記トマト果実を提供する。
【００４９】
本発明の別の側面にしたがって、損なわれていない果皮、および自然脱水の条件下で、７．１より高いＢｒｉｘ値を有する加工トマト果実であって、前記自然脱水が、一般的に微生物腐敗を伴わず、自然脱水のための前記条件が、該Ｂｒｉｘ値に達するために十分な時間、加工トマト果実が、熟した後に蔓に留まることを可能にする工程を含む、前記トマト果実を提供する。
【００５０】
本明細書において、句「加工トマト」は、限定トマト植物を指す。本発明のいくつかの態様にしたがって、植物は、完熟し、そして自然脱水前に、約３０〜８０グラム／単位の果実重量を有する。他の例示的な果実重量範囲には、限定されるわけではないが、約３０〜４０グラム、３５〜８０グラム／単位、３５〜７０グラム／単位、４０〜７０グラム／単位、４０〜８０グラム／単位、６０〜７０グラム／単位、３０〜６０グラム／単位、５０〜７０グラム／単位、４０〜６０グラム／単位が含まれる。特定の態様にしたがって、完熟し、そして自然脱水前に、果実直径は３〜５ｃｍである。他の例示的な直径には、限定されるわけではないが、３．５〜５ｃｍ、４〜５ｃｍ、３〜４ｃｍおよび３．５〜４．５ｃｍが含まれる。特定の態様にしたがって、本発明の加工トマト植物は、非トランスジェニック植物である。別の態様にしたがって、本発明の加工トマト植物は、トランスジェニック植物である。植物を遺伝子修飾して、昆虫、線虫および疾患に対する耐性増加、あるいは低窒素、熱、低温、干ばつ等の非生物ストレスに対する耐容性増加などの農学的価値がある遺伝子を発現させることも可能である。
【００５１】
加工トマトは、典型的には苗床に支柱なしで、しばしば２列に植えられる。特定の態様にしたがって、本発明の加工トマトは限定種のものである。これは、植物がその有効な開花期を植物発生の設定期間中に完了し、集中した果実熟成および単回の収穫を可能にすることを意味する。限定植物は、小さい植物を移植してから収穫するまで、１５０日未満の明らかに定義された生長周期を有する。収穫は、手動でまたは機械的に実行可能である。産業目的で用いられる加工トマト植物は、好ましくは地面に茂み（ｂｕｓｈ）として植えられる（単茎仕立て（ｃｏｒｄｏｎ）としてではなく）。
【００５２】
本明細書において、句「損なわれていない果皮」は、表皮水透過性を増加させる目的で、いかなる機械的、物理的または化学的処理も経ていない、損なわれていないトマト果実を指す。こうした処理の例には、限定されるわけではないが、機械的処理、例えば、果皮をカットし、天日乾燥の有効性を増加させることによるなどの果皮の穿孔処理、および化学的処理、例えば表皮上のワックス層を取り除く有機溶媒のような剤を用いることによるものが含まれる。
【００５３】
殺虫剤、保存剤、またはトマトがその自然の鮮やかな赤色および甘い強いフレーバーを保持することを確実にし；そしてまた殺虫剤としても働く、イオウなどの化学薬品で、トマトを処理するかまたはコーティングすることも可能である。
【００５４】
本明細書において、「度Ｂｒｉｘ」（記号°Ｂｒｉｘ）とも称される、用語「Ｂｒｉｘ」は、植物ジュースの所定の重量中の総可溶性固形パーセントの測定値であり、これにはスクロース、フルクトース、ビタミン、アミノ酸、タンパク質、ホルモンおよび他の固体の合計が含まれる。これはしばしば、スクロースの割合として示される。これは、液体の比重を測定する検糖計で、あるいはより容易には屈折計またはＢｒｉｘ比重計で測定される。
【００５５】
本発明の特定の態様にしたがって、屈折計を用いて、トマトのＢｒｉｘ値を決定する。屈折計を使用してトマトのＢｒｉｘ値を決定する方法は、一般的に、当該技術分野に知られる。異なるＢｒｉｘ値を有する異なる製品の組成を比較するため、前記製品をまず、濃縮または希釈によって、同じＢｒｉｘレベルにして、そして続いて分析することも可能であるし、あるいは、前記の異なる製品をそれぞれのＢｒｉｘ値で分析して、そして続いてＢｒｉｘ値の相違に関して、データを補正することも可能である。どちらのオプションも一般的であり、そして当該技術分野に周知である。本文書において、トマトおよびトマトペーストの文脈に関するいかなる記述も、乾燥固形重量に基づかない限り、それぞれのＢｒｉｘ値を含むであろう。
【００５６】
本明細書において、句「自然脱水」は、周囲温度で、例えば天日乾燥によって、ｉｎ  ｓｉｔｕ（畑または温室）で脱水を可能にした際の、蒸発によるトマト果実の水含量の喪失を指す。自然脱水は、特に、オーブン乾燥を排除する。用語、自然脱水は、したがって、熟した後、トマト果実の損なわれていない果皮の皺形成として定義され、これは一般的に微生物腐敗を伴わない。典型的には、自然脱水は、人の手によるトマト果皮のカットを伴わずに達成される。自然脱水は、完熟トマトに元来存在した水の１５〜６０％の間の除去を伴い、他の例示的な範囲には、限定されるわけではないが、５〜３０％、５〜２０％、５〜１０％、１０〜５０％、１０〜４０％、１０〜３０％、１０〜２０％、４０〜５０％または３０〜５０％が含まれる。特定の態様にしたがって、自然脱水は、完熟トマトに元来存在した水の少なくとも２０％の除去を伴う。
【００５７】
句「一般的に微生物腐敗を伴わない」は、１０３ｃｆｕ／グラム未満を指す。
【００５８】
注目すべきことに、この特質によって特徴付けられるトマト果実に対するいかなる言及も、ロットの少なくとも５０％がこれらの特質（例えば、本明細書に記載されるような、Ｂｒｉｘ値および場合によって微生物腐敗の欠如）の複数の植物（または果実）を含むよう意味される。
【００５９】
収穫前に、すなわち熟した後、望ましいＢｒｉｘ値に達するのに十分な時間、トマト果実を蔓上に残すことを可能にすることによって、自然脱水を行うことも可能である。自然脱水のために典型的な条件は、損なわれていない果皮および周囲温度を通じて蒸発を可能にするために十分に低い湿度（例えば１０〜４０％、１５〜２５％、または例えば２０％）を必要とする。典型的には、自然脱水は、天日乾燥によって達成される。特定の態様にしたがって、自然脱水は、果実の９０％以上が熟しているが熟しすぎていない、正常収穫段階後に達成される。意図される例示的な時間範囲には、限定されるわけではないが、熟した後、５〜２１日、５〜１５日、５〜１０日、２〜１８日、１０〜２０日が含まれる。当業者は、局地気候、トマト品種および最終用途に基づいて、脱水時間を計算することも可能であろう。特定の態様にしたがって、自然脱水は、４０％湿度未満、３０％湿度未満、そしてさらに２０％湿度未満などの低湿度条件下で達成される。
【００６０】
本明細書において、用語「熟成」は、蔓熟成（エチレン誘導熟成とは対照的に）を指し、そしてトマトが赤色になり始めた時間と定義される。
【００６１】
本明細書において、句「完熟」は、微生物腐敗脱水を伴わない、鮮赤色を有するトマトを指す。
【００６２】
自然脱水プロセスを促進するため、土からの水の取り込みを防止するために、蔓から根を切り落としてもよい。この態様にしたがって、果実は蔓上にあるが、根による水の取り込みがなく、自然脱水プロセスが促進される。
【００６３】
さらに別にまたはさらに、自然脱水をトマト果実収穫後に行ってもよい（蔓から離れて）。
【００６４】
特定の態様にしたがって、自然脱水は、最大３０のＢｒｉｘ値に達するまで行われる。
【００６５】
特定の態様にしたがって、Ｂｒｉｘ値は１２〜３０である。
【００６６】
特定の態様にしたがって、Ｂｒｉｘ値は１２〜１５である。
【００６７】
特定の態様にしたがって、Ｂｒｉｘ値は１２〜２０である。
【００６８】
特定の態様にしたがって、Ｂｒｉｘ値は１５〜３０である。
【００６９】
特定の態様にしたがって、Ｂｒｉｘ値は１５〜２５である。
【００７０】
特定の態様にしたがって、Ｂｒｉｘ値は１８〜２５である。
【００７１】
特定の態様にしたがって、Ｂｒｉｘ値は１７〜２５である。
【００７２】
特定の態様にしたがって、果実が蔓上にあることを可能にした際、自然脱水は７．１を超えるＢｒｉｘ値に達し、７．２〜２０、７．２〜１５、７．２〜１０、８〜１８または１０〜１５の例示的な範囲に渡ることも可能である。
【００７３】
本発明の特定の態様にしたがって、トマト果実を脱水する。
【００７４】
特定の態様にしたがって、トマト果実を自然脱水する。
【００７５】
さらに特定の態様にしたがって、トマト果実は完熟しているが、自然脱水に供されていない。
【００７６】
さらなる特定の態様にしたがって、トマト果実は熟していない。
【００７７】
特定の態様にしたがって、果実は、完熟し、そして自然脱水される前、７未満または５未満（例えば５〜７、４．５〜７、４．５〜６または４．５〜５）のＢｒｉｘ値を有する。
【００７８】
本発明のいくつかの態様の脱水トマト果実は、優れた食味およびフレーバーによって特徴付けられることが想定される。これは、トマトが自然脱水され、そしてオーブン脱水されず、したがってオーブン乾燥に関連する不快な匂いを回避するためである。１人またはそれより多い試験被験体によってトマトおよび／またはペーストのテイスティングを行い、そして対照と比較することによって、食味および／またはフレーバーに対する自然脱水の影響を評価することも可能である。食味盲検を行って、トマトまたはそれに由来する加工製品の食味を評価してもよい。
【００７９】
本発明のトマト植物は、古典的育種法によって生成可能である。重要な特徴は、蔓上の自然脱水を可能にした際、７．１より高いＢｒｉｘ値を示すか、または熟成後、そして場合によって収穫後の自然脱水を可能にした際、１０を超えるＢｒｉｘ値さえ示す果実を有する植物を選択することである（例示的なＢｒｉｘ範囲を上記に提供する）。
【００８０】
したがって、ハイブリッド植物が得られるように、加工トマト植物を野生型リコペルシコン属種と交配し；そして言及するように、自然脱水条件下で、上述のＢｒｉｘ値を示す果実を有する植物を選択することによって、本発明のいくつかの態様の加工トマトを生成する。
【００８１】
本明細書において、用語「リコペルシコン属種」は、Ｈｏｖａｖらに記載されるように、通常、ＣＷＰポリペプチドを発現するリコペルシコン属（現在、トマトクレードを含むナス属（Ｓｏｌａｎｕｍ）の一部と分類される）の野生種を指す。これらには、該属の緑色果実種が含まれ、そしてこうしたリコペルシコン属種の例は、以前、リコペルシコン・ヒルスツムと称された、ソラヌム・ハブロカイテス（Ｓｏｌａｎｕｍ  ｈａｂｒｏｃｈａｉｔｅｓ）である。
【００８２】
本明細書において、用語「ＣＷＰ遺伝子」は、ＷＯ２００６／０３０４４５に記載されるような表皮水透過性遺伝子をコードする核酸配列を指す（例えば、ＧｅｎＢａｎｋ寄託番号ＤＱ８４０６４４、配列番号１）。
【００８３】
本明細書において、用語「ＣＷＰポリペプチド」は、表皮水透過性（ｃｗｐ）を増加させる、ＣＷＰ遺伝子の発現産物を指す。特定の態様にしたがって、ＣＷＰポリペプチドは、リコペルシコン・ヒルスツムのＣＷＰポリペプチドをコードするもの、すなわちＧｅｎＢａｎｋ寄託番号：ＤＱ８４０６４４．１、配列番号２またはＷＯ２００６／０３０４４５に記載されるものと同じものの機能的相同体である。こうした機能的相同体は、全体整列によって決定されるように、配列番号２に少なくとも７０％、８０％、８５％、９０％、９５％同一である。
【００８４】
Ｌ．ヒルスツムにおいて、ＣＷＰ遺伝子は、テロメアマーカーＴＧ４６４およびセントロメアマーカーＣＴ１７３の間の染色体４に局在する。公的に入手可能なトマトゲノム配列において、この遺伝子座は、Ｓｏｌｇｅｎｅウェブサイト上に記載されるように、Ｓｏｌｙｃ０４ｇ０８２５４０と記載され、そして染色体位置ＳＬ２．４０ｃｈ０４：６３７７７３６８．．６３７７９５３３に位置する。
【００８５】
本解説にしたがって使用可能なリコペルシコン属種の例示的な系統には、限定されるわけではないが、ＬＡ３９３５（系統ＴＡ５１７）、ＬＡ３９３７（系統ＴＡ１４７３）が含まれる。
【００８６】
加工トマトバックグラウンドの品種の選択は、市場の要求、地域適応性、疾患耐性および製品の最終用途に応じる。例えば、典型的には、ローマ型が乾燥のために用いられるが、トマトペーストプロセッサーは高い総可溶性固体（ＴＳＳ）を持つ製品を要求する。
【００８７】
加工トマトの例示的な品種には、限定されるわけではないが、ＳＵＮ  ６３６６、ＡＢ  ２、Ｈｅｉｎｚ  ９７８０、Ｈｅｉｎｚ  ９５５７、Ｈａｌｌｅｙ  ３１５５およびＨｙｐｅｅｌ  ３０３が含まれる。
【００８８】
他の例には、産業トマト（例えばＭ８２系統）またはサンマルツァーノ・プラムが含まれる。
【００８９】
植物育種プログラムにおけるハイブリッドの開発は、一般的に、系統を発展させ、これらの系統を交配し、そして交配を評価する必要がある。大部分の植物育種プログラムは、２またはそれより多い近交系系統または多様な他の広範囲に渡る供給源からの遺伝的バックグラウンドを組み合わせるか、または育種プール内に突然変異を導入し、そこから自殖および望ましい表現型の選択によって新規近交系系統を発展させる。植物育種材料の供給源として、あるいは新規植物系統を発展させるかまたは得るための供給源集団として、ハイブリッドを使用することもまた可能である。ハイブリッド中の特質の発現は、２つの親によって発現される量の中点を超える可能性もあり、これは、ハイブリッド強勢（ｈｙｂｒｉｄ  ｖｉｇｏｒ）または雑種強勢（ｈｅｔｅｒｏｓｉｓ）発現として知られる。
【００９０】
近交系系統は、例えば、系統育種（ｐｅｄｉｇｒｅｅ  ｂｒｅｅｄｉｎｇ）および反復選択育種として前記方法を用いることによって、ハイブリッドから得られうる。新規発展近交系を、他の近交系と交配し、そしてこれらの交配からのハイブリッドを評価して、商業的潜在能力を有するものを決定する。
【００９１】
系統育種は、個々に判断される望ましさに基づいて、そして系図記録に基づいて、交雑種から分離世代で個々の植物を選択する、育種システムである。
【００９２】
反復選択は、選択した個体を交雑させた後、選択および交雑の連続周期を続けて、集団における望ましいアレルの頻度を増加させることに基づく育種法である。
【００９３】
反復選択は、例えば、戻し交配育種によって行われてもよく、これは、ハイブリッドの一方の親に対して反復戻し交配を行い、これに付随して特定の単数または複数の特性に関して選択する育種システムを伴う。
【００９４】
多様な作物において異なる特質を獲得するために一般的に用いられる育種法の一般的な説明は、参考書、例えばＡｌｌａｒｄ，  Ｒ．  Ｗ．（１９６０）  Ｐｒｉｎｃｉｐｌｅｓ  ｏｆ  Ｐｌａｎｔ  Ｂｒｅｅｄｉｎｇ；  Ｓｉｍｍｏｎｄｓ，  Ｎ．  Ｗ．（１９７９）  Ｐｒｉｎｃｉｐｌｅｓ  ｏｆ  Ｃｒｏｐ  Ｉｍｐｒｏｖｅｍｅｎｔ；  Ｍａｒｋ  Ｊ．  Ｂａｓｓｅｔ，  （１９８６、監修），  Ｐｌａｎｔ  Ｂｒｅｅｄｉｎｇ  Ｐｅｒｓｐｅｃｔｉｖｅｓ；  Ｆｅｈｒ，  （１９８７）  Ｐｒｉｎｃｉｐｌｅｓ  ｏｆ  Ｃｕｌｔｉｖａｒ  Ｄｅｖｅｌｏｐｍｅｎｔ  Ｔｈｅｏｒｙ  ａｎｄ  Ｔｅｃｈｎｉｑｕｅ），  Ｃｕｒａｈ  Ｌ（１９８６）  Ｌｅｅｋ  ｂｒｅｅｄｉｎｇ：  ａ  ｒｅｖｉｅｗ  Ｊ  Ｈｏｒｔ  Ｓｃ  ６１：  ４０７−４１５に見出されうる。
【００９５】
したがって、本解説は、交配工程後、上述のＢｒｉｘ値まで自然脱水させることが可能なトマト植物に関して選択する工程をさらに含む。
【００９６】
本発明の特定の態様にしたがって、本発明の解説にしたがって得られる加工トマトは、活発に転写され、そして翻訳されて、機能的ＣＷＰポリペプチドまたはＣＷＰポリペプチドをコードする導入遺伝子を（典型的には異種プロモーターの転写制御下で）生じる、ＣＷＰ核酸配列を含む、遺伝子移入を含む。
【００９７】
したがって、本発明の態様にしたがって、遺伝子移入は、リコペルシコン・ヒルスツムの染色体４の部分を含む。
【００９８】
特定の態様にしたがって、リコペルシコン・ヒルスツムの染色体４の部分は、テロメアマーカーＴＧ４６４からセントロメアマーカーＣＴ１７３に渡る染色体部分、Ｓｏｌｙｃ０４ｇ０８２５４０より小さい。
【００９９】
本発明のさらなる態様にしたがって、自然脱水に供する際、７．１または１０より高いＢｒｉｘ値を有する加工トマト果実であって、前記加工トマトの種子の代表的なサンプルが、ＮＣＩＭＢ  Ｌｔｄ．（Ｆｅｒｇｕｓｏｎ  Ｂｕｉｌｄｉｎｇ  Ｃｒａｉｂｓｔｏｎｅ  Ｅｓｔａｔｅ，  Ｂｕｃｋｓｂｕｒｎ．  Ａｂｅｒｄｅｅｎ  Ｓｃｏｔｌａｎｄ）にＸＸＸ（１０２７系統）またはＸＸＸ（１０２８系統）下、ブダペスト条約下で寄託されている、前記トマト果実を提供する。
【０１００】
加工トマト果実の種子、ブダペスト条約の下で寄託されているこうした種子のサンプルもまた、本明細書に意図される。
【０１０１】
本解説にしたがって選択された植物は、自然脱水下で、前述のＢｒｉｘ値によって特徴付けられる果実を産生する。当業者には、個々の自然脱水果実のＢｒｉｘ値が列挙される範囲の外である可能性もあることが認識されるであろう。しかし、特定の態様にしたがって、少なくとも１０％、２５％またはより好ましくは５０％の脱水トマトが、明記される範囲内のＢｒｉｘ値を有する。
【０１０２】
本発明の加工トマトは、典型的には移植によって生長するが、直まきもまた可能である。移植は、苗床準備およびスタンド設置を単純にし、雑草競合を減少させ、雑草管理により多くのオプションを提供し、そして手取除草を減少させる。収穫は、典型的には一度に、例えば作物の少なくとも５０％が望ましいＢｒｉｘ値を示すときに、行われる。収穫は、手動でまたは機械的に行ってもよいが、加工トマト産業には、後者がより典型的である。
【０１０３】
本解説にしたがった自然脱水は、周囲温度条件下で、例えば天日乾燥下で、収穫前にまたは収穫後に果実を蔓上に残して（収穫されていてもまたはいなくても）、あるいは蔓から離しておくことによって、達成される。
【０１０４】
果実は、熟成時に、そしてあるいはまたはさらに、自然脱水後に、果実の色、Ｂｒｉｘ、ｐＨ、糖、有機酸および欠損レベル（昆虫損傷、カビ、緑色果実等）に関して認定される。トマトは、典型的には、大きな加工施設に輸送され、ここで収集され、そして続いて、典型的には塩素処理水を用いて洗浄され、そして水道水を用いてリンスされ、そしてさらに欠損（例えば不適切な熟成、疾患損傷、カビ等）を提示するものを除くように選択される。次いで、トマトは、非常に多様な製品に加工されることも可能である。
【０１０５】
ジュースまたは果肉製造のため、脱水トマトを細かく砕き、そして液体に浸して柔らかくして（分解しそして破壊して）、ポンピング可能な（ｐｕｍｐａｂｌｅ）塊にする。当業者には明らかであろうように、これらの操作はそれ自体、トマト加工分野に知られ、そして一般的であり、そしてこれに関して、本発明の範囲から逸脱することなく、該方法に対するいかなる調整も実行可能である。
【０１０６】
トマトを加工し、そして／またはトマトに基づく組成物を産生するための方法が当該技術分野に周知であり、一般的には米国特許第６，９２４，４２０号を参照されたい。やはり報告されるのは、例えばペースト（米国特許第７，０７４，４５１号）、無菌ペースト（米国特許第４，２０６，２３９号）、ピューレ（米国特許第４，５５６，５７６号）、ソース（米国特許第７，１２２，２１７号）、固形化ソース（米国特許第４，０３８，４２４号）、バーベキューソース（米国特許第６，８６９，６３４号）、サルサ（米国特許第５，９１４，１４６号）、ケチャップ（米国特許第６，６８９，２７９号）、トマト繊維組成物（米国特許第７，１６６，３１５号）および脱水トマト製品（米国特許第５，０３５，９０９号）を調製するための特定の方法である。トマトペースト、果肉、およびピューレのテクスチャーおよびコンシステンシーを修飾する方法もまた報告されてきており、例えば米国特許第６，７２０，０１９号を参照されたい。
【０１０７】
したがって、本発明の側面にしたがって、食用加工トマト製品を製造する方法であって：
脱水加工トマトを得るように、加工トマトを、自然脱水に供し；そして続いて、該脱水加工トマトを細かく砕くかまたは液体に浸して柔らかくして、それによってトマトペーストを製造する
工程を含む、前記方法を提供する。
【０１０８】
やはり提供するのは、本発明の加工トマトまたはその可食部分（例えば果実またはその可食部分）を含む食用加工トマト製品である。
【０１０９】
やはり提供するのは、本解説にしたがって生成されたトマトペーストである。
【０１１０】
こうした食用製品の例には、限定されるわけではないが、缶詰トマト（ホール）、トマトペースト、ケチャップ、トマトソース、トマトスープ、トマトジュース、トマト粉末、トマトダイス、クラッシュトマト、チョップトマトおよびトマト濃縮物が含まれる。
【０１１１】
これらの製品が本発明の加工トマトのＤＮＡを含むことが想定される。
【０１１２】
本明細書において、用語「約」は±１０％を指す。
【０１１３】
用語「含む（ｃｏｍｐｒｉｓｅｓ）」、「含むこと（ｃｏｍｐｒｉｓｉｎｇ）」、「含まれる（ｉｎｃｌｕｄｅｓ）」、「含まれること（ｉｎｃｌｕｄｉｎｇ）」、「有する（ｈａｖｉｎｇ）」およびその同根語は、「限定されるわけではないが含む」を意味する。
【０１１４】
用語「からなる」は「限定されるわけではないが含む」を意味する。
【０１１５】
用語「本質的にからなる」は、組成物、方法または構造に、さらなる成分、工程および／または部分が含まれてもよいが、さらなる成分、工程および／または部分が、請求する組成物、方法または構造の基本的でそして新規の特性を実質的に改変しない場合のみであることを意味する。
【０１１６】
本明細書において、単数形「ａ」、「ａｎ」および「ｔｈｅ」には、文脈が別に明らかに示さない限り、複数の対象物も含まれる。例えば用語「（１つの）化合物」または「少なくとも１つの化合物」には、その混合物を含めて、複数の化合物が含まれることも可能である。
【０１１７】
本出願全体で、本発明の多様な態様が範囲形式で提示されうる。範囲形式の記述が単に利便性および簡潔性のためであり、そして本発明の範囲に対する柔軟性がない限定と見なしてはならないことを理解すべきである。したがって、範囲の説明は、すべてのありうる下位範囲ならびにその範囲内の個々の数値を特に開示していると見なすべきである。例えば、１〜６などの範囲の記述は、特に開示する下位範囲、例えば１〜３、１〜４、１〜５、２〜４、２〜６、３〜６等、ならびにその範囲内の個々の数値、例えば１、２、３、４、５、および６を有すると見なされるべきである。これは、範囲の広さにかかわらず当てはまる。
【０１１８】
数値範囲が本明細書に示される場合は常に、示される範囲内の任意の引用される数値（分数または整数）を含むと意味される。句、第一の示す数字および第二の示す数字の「間の範囲の／範囲に渡る」ならびに第一の示す数字「から」第二の示す数字「までの範囲の／範囲に渡る」は、本明細書において、交換可能に用いられ、そして第一および第二の示す数字ならびにその間の分数および整数を含むよう意味される。
【０１１９】
本明細書において、用語「方法」は、所定のタスクを達成するための方式、手段、技術および手順を指し、これには、限定されるわけではないが、化学、薬理学、生物学、生化学および医学業の実施者に知られる、またはこうした実施者により、既知の方式、手段、技術および手順から容易に発展される、方式、手段、技術および手順が含まれる。
【０１２０】
別個の態様の文脈に記載されるものを、単一の態様に組み合わせて提供することもまた可能である。逆にまた、簡潔性のために単一の態様の文脈で記載される、本発明の多様な特徴を、別個に、または任意の適切なサブコンビネーションで、または本発明の任意の他の記載する態様において適切であるように、提供することも可能である。多様な態様の文脈で記載する特定の特徴は、態様がこれらの要素なしには動作不可能でない限り、これらの態様の本質的な特徴とは見なされないものとする。
【０１２１】
本明細書の上記に記載するような、そして以下の請求項セクションに請求するような、本発明の多様な態様および側面は、以下の実施例において、実験的確証を見出す。
【実施例】
【０１２２】
ここで以下の実施例に言及し、上記説明と合わせて、限定しない方式で、本発明のいくつかの態様を例示する。
【０１２３】
一般的に、本明細書で用いる命名法および本発明で利用する実験法には、分子、生化学、微生物学および組換えＤＮＡ技術が含まれる。こうした技術は、文献に完全に説明される。例えば、”Ｍｏｌｅｃｕｌａｒ  Ｃｌｏｎｉｎｇ：  Ａ  ｌａｂｏｒａｔｏｒｙ  Ｍａｎｕａｌ”  Ｓａｍｂｒｏｏｋら，  （１９８９）；  ”Ｃｕｒｒｅｎｔ  Ｐｒｏｔｏｃｏｌｓ  ｉｎ  Ｍｏｌｅｃｕｌａｒ  Ｂｉｏｌｏｇｙ”  Ｉ−ＩＩＩ巻  Ａｕｓｕｂｅｌ，  Ｒ．  Ｍ．，監修（１９９４）；  Ａｕｓｕｂｅｌら，  ”Ｃｕｒｒｅｎｔ  Ｐｒｏｔｏｃｏｌｓ  ｉｎ  Ｍｏｌｅｃｕｌａｒ  Ｂｉｏｌｏｇｙ”，  Ｊｏｈｎ  Ｗｉｌｅｙ  ａｎｄ  Ｓｏｎｓ，  Ｂａｌｔｉｍｏｒｅ，  Ｍａｒｙｌａｎｄ  （１９８９）；  Ｐｅｒｂａｌ，  ”Ａ  Ｐｒａｃｔｉｃａｌ  Ｇｕｉｄｅ  ｔｏ  Ｍｏｌｅｃｕｌａｒ  Ｃｌｏｎｉｎｇ”，  Ｊｏｈｎ  Ｗｉｌｅｙ  ＆  Ｓｏｎｓ，  Ｎｅｗ  Ｙｏｒｋ  （１９８８）；  Ｗａｔｓｏｎら，  ”Ｒｅｃｏｍｂｉｎａｎｔ  ＤＮＡ”，  Ｓｃｉｅｎｔｉｆｉｃ  Ａｍｅｒｉｃａｎ  Ｂｏｏｋｓ，  Ｎｅｗ  Ｙｏｒｋ；  Ｂｉｒｒｅｎら（監修）  ”Ｇｅｎｏｍｅ  Ａｎａｌｙｓｉｓ：  Ａ  Ｌａｂｏｒａｔｏｒｙ  Ｍａｎｕａｌ  Ｓｅｒｉｅｓ”，  １−４巻，  Ｃｏｌｄ  Ｓｐｒｉｎｇ  Ｈａｒｂｏｒ  Ｌａｂｏｒａｔｏｒｙ  Ｐｒｅｓｓ，  Ｎｅｗ  Ｙｏｒｋ  （１９９８）；米国特許第４，６６６，８２８号；第４，６８３，２０２号；第４，８０１，５３１号；第５，１９２，６５９号および第５，２７２，０５７号に示されるような方法論；  ”Ｃｅｌｌ  Ｂｉｏｌｏｇｙ：  Ａ  Ｌａｂｏｒａｔｏｒｙ  Ｈａｎｄｂｏｏｋ”，  Ｉ−ＩＩＩ巻  Ｃｅｌｌｉｓ，  Ｊ．  Ｅ．監修（１９９４）；  ”Ｃｕｒｒｅｎｔ  Ｐｒｏｔｏｃｏｌｓ  ｉｎ  Ｉｍｍｕｎｏｌｏｇｙ”  Ｉ−ＩＩＩ巻  Ｃｏｌｉｇａｎ  Ｊ．  Ｅ．監修（１９９４）；  Ｓｔｉｔｅｓら（監修），  ”Ｂａｓｉｃ  ａｎｄ  Ｃｌｉｎｉｃａｌ  Ｉｍｍｕｎｏｌｏｇｙ”（第８版），  Ａｐｐｌｅｔｏｎ  ＆  Ｌａｎｇｅ，  Ｎｏｒｗａｌｋ，  ＣＴ  （１９９４）；  ＭｉｓｈｅｌｌおよびＳｈｉｉｇｉ（監修），  ”Ｓｅｌｅｃｔｅｄ  Ｍｅｔｈｏｄｓ  ｉｎ  Ｃｅｌｌｕｌａｒ  Ｉｍｍｕｎｏｌｏｇｙ”，  Ｗ．  Ｈ．  Ｆｒｅｅｍａｎ  ａｎｄ  Ｃｏ．，  Ｎｅｗ  Ｙｏｒｋ（１９８０）を参照されたい；利用可能なイムノアッセイは、特許および科学文献に広範囲に記載されており、例えば米国特許第３，７９１，９３２号；第３，８３９，１５３号；第３，８５０，７５２号；第３，８５０，５７８号；第３，８５３，９８７号；第３，８６７，５１７号；第３，８７９，２６２号；第３，９０１，６５４号；第３，９３５，０７４号；第３，９８４，５３３号；第３，９９６，３４５号；第４，０３４，０７４号；第４，０９８，８７６号；第４，８７９，２１９号；第５，０１１，７７１号および第５，２８１，５２１号を参照されたい；  ”Ｏｌｉｇｏｎｕｃｌｅｏｔｉｄｅ  Ｓｙｎｔｈｅｓｉｓ”  Ｇａｉｔ，  Ｍ．  Ｊ．監修（１９８４）；  ”Ｎｕｃｌｅｉｃ  Ａｃｉｄ  Ｈｙｂｒｉｄｉｚａｔｉｏｎ”  Ｈａｍｅｓ，  Ｂ．  Ｄ．およびＨｉｇｇｉｎｓ  Ｓ．  Ｊ．監修（１９８５）；  ”Ｔｒａｎｓｃｒｉｐｔｉｏｎ  ａｎｄ  Ｔｒａｎｓｌａｔｉｏｎ”  Ｈａｍｅｓ，  Ｂ．  Ｄ．およびＨｉｇｇｉｎｓ  Ｓ．  Ｊ．監修（１９８４）；  ”Ａｎｉｍａｌ  Ｃｅｌｌ  Ｃｕｌｔｕｒｅ”  Ｆｒｅｓｈｎｅｙ，  Ｒ．  Ｉ．監修（１９８６）；  ”Ｉｍｍｏｂｉｌｉｚｅｄ  Ｃｅｌｌｓ  ａｎｄ  Ｅｎｚｙｍｅｓ”  ＩＲＬ  Ｐｒｅｓｓ，  （１９８６）；  ”Ａ  Ｐｒａｃｔｉｃａｌ  Ｇｕｉｄｅ  ｔｏ  Ｍｏｌｅｃｕｌａｒ  Ｃｌｏｎｉｎｇ”  Ｐｅｒｂａｌ，  Ｂ．，  （１９８４）、ならびに”Ｍｅｔｈｏｄｓ  ｉｎ  Ｅｎｚｙｍｏｌｏｇｙ”  Ｖｏｌ．  １−３１７，  Ａｃａｄｅｍｉｃ  Ｐｒｅｓｓ；  ”ＰＣＲ  Ｐｒｏｔｏｃｏｌｓ：  Ａ  Ｇｕｉｄｅ  Ｔｏ  Ｍｅｔｈｏｄｓ  Ａｎｄ  Ａｐｐｌｉｃａｔｉｏｎｓ”，  Ａｃａｄｅｍｉｃ  Ｐｒｅｓｓ，  Ｓａｎ  Ｄｉｅｇｏ，  ＣＡ  （１９９０）；  Ｍａｒｓｈａｋら，  ”Ｓｔｒａｔｅｇｉｅｓ  ｆｏｒ  Ｐｒｏｔｅｉｎ  Ｐｕｒｉｆｉｃａｔｉｏｎ  ａｎｄ  Ｃｈａｒａｃｔｅｒｉｚａｔｉｏｎ−  Ａ  Ｌａｂｏｒａｔｏｒｙ  Ｃｏｕｒｓｅ  Ｍａｎｕａｌ”  ＣＳＨＬ  Ｐｒｅｓｓ（１９９６）；これらはすべて、本明細書に完全に示されるかのように、本明細書に援用される。他の一般的な参考文献は、本文書全体で提供される。該文献の方法は、当業者に周知であると考えられ、そして読者の利便性のために提供される。該文献に含有されるすべての情報は、本明細書に援用される。
【０１２４】
実施例１
蔓上で脱水する産業トマトの製造
無限生長習性の脱水トマトの育種系統（ＵＳ  ７，１１９，２６１に記載される、系統１７３０およびそれに由来する自殖系統）を、開放受粉の限定産業トマト品種Ｍ−８２（ＬＡ２８３８Ａ）と交雑させた。この交配から得たＦ２集団から、野生種のｃｗｐアレルに関してホモ接合性である限定植物（以下に記載するように分子マーカーによって、ならびに微小亀裂表現型によって選択）を選択した。これらの植物のうち５つを自家受粉させ、そしてＦ３植物を各々から生長させ、そしてペースト製造用に開発されたトマトの３つの選良育種系統と交配した。これらの育種系統は、Ｍ−８２とタイプが類似であり、ペースト製造に用いられるトマトに特徴的である、限定生長習性および集中収穫によって特徴付けられた。選良育種系統は、果実形状が球形から細長い（「ローマ」型）まで多様であり、そして果実サイズは６０〜９０グラムまで多様であった。
【０１２５】
ハイブリッドＦ１（ＢＣ１Ｆ１）植物を生長させ、そして自殖種子をＦ２（ＢＣ１Ｆ２）世代のために収集した。また、ＢＣ２Ｆ１種子産生のため、Ｆ１植物を、反復選良育種系統に戻し交配した。限定集中収穫ペーストトマトのための標準的栽培プロトコルにしたがって、ＢＣ１Ｆ２およびＢＣ２Ｆ１植物をスクリーンハウス中で生長させた。分子マーカー分析によって決定されるように、ｃｗｐ脱水アレルを宿する個々のＢＣ１Ｆ２およびＢＣ２Ｆ１植物を、限定習性、集中収量（植物あたり少なくとも２０の熟した果実）、ならびに成熟果実の微小亀裂および皺形成によって示される脱水特質の特性に基づいて、選択した。
【０１２６】
リコペルシコン属中のＣＷＰ遺伝子の第三のイントロンに位置する欠失を検出することによって、ｃｗｐマーカー分析を行った。プライマーｃｗｐ順方向  ＣＧＴＡＣＴＣＡＡＡＣＧＡＴＧＡＴＡＡＡＧＧＴ（配列番号３）、プライマーｃｗｐ逆方向  ＴＴＡＴＴＧＣＡＴＴＴＧＧＡＧＴＴＴＴＴＣＡＡＴＣＣＧ（配列番号４）。ＰＣＲ条件は、Ｔｍ  ５６度、伸長時間約１５ｓ、３５周期からなった。こうした分子分析の結果を図２に示す。
【０１２７】
個々の選択した植物の少なくとも２０の成熟果実を採取し、直ちに重量測定し、そしてＡｔａｇｏ  Ａ−１デジタル屈折計を用いて、収穫時の５つの果実から抽出した果肉のＢｒｉｘ値を測定した。残りの果実は、加熱しない部屋に残したままにした（イスラエル・ベットダガン、最低１１℃および最高２４℃）。７日後、生重量およびＢｒｉｘ測定のため、さらに５つの果実を取り除いた。１４日後に、残りの果実（少なくとも１０）の重量を測定し、そしてブレンダーを用いて果肉を抽出し、そして２ｍｍメッシュ篩を通過させて、種子および果皮を取り除いた。抽出した果肉を、上記のようにＢｒｉｘ測定した。果肉サンプルを重量測定し、そしてオーブン中で乾燥させて、ペーストの水分および乾燥物質含量を測定した。果肉サンプルをテイスティングし、そして非常に風味があることが見出された。さらなるサンプルの重量を測定し、そして凍結し、そして化学分析に用いた。
【０１２８】
結果
以下の表１は、選択したＦ２およびＢＣ１植物由来の果肉産生自然脱水トマト果実のＢｒｉｘおよびｐＨ値を示す。表は、例えば、６０グラムを超える果実が１０を超えるＢｒｉｘに達し（１４−１４５）、５０グラムを超えるものが１２を超えるＢｒｉｘに達し（１５−１０１）、そして４０グラムを超えるものが１５を超えるＢｒｉｘに達する（１５−１５９）ことを示す。これらの植物の果肉は、１１．４、１４．４、および１６の％乾燥重量を有した。さらに、ｐＨ値は、一般的に４．６より高く、対照品種（ｐＨ４．４、Ｂｒｉｘ  ４．９）に関して示されるような標準的なトマト果肉より有意により酸性でなかった。図１Ａ〜Ｇは、これらが〜７５％産業タイプ反復親であるため、ＢＣ２Ｆ１植物が真のハイブリッドであることを記載する。
【０１２９】
表１
【０１３０】
【表１】
2016527885.tif 000002
【０１３１】
＊収穫時−完熟時、蔓上
＊、＊＊損なわれていない果皮を有するトマトの自然脱水下で収穫された７日後または１４日後の果肉
寒い季節に、イスラエル・アラバで生長させたトマト果実に対して、育種のさらなる世代に関する分析を行った。
【０１３２】
育種の異なる世代の系統には、ＢＣ１Ｆ３、ＢＣ３Ｆ２およびＢＣ２Ｆ３系統が含まれた。注目すべきことに、一般的に、ＢＣの数字は、その材料が産業型反復親と交配された回数を示す。ＢＣ１Ｆ３は、産業系統と本発明者らの親ドナー系統の最初の交配後、３回自殖した系統であり；ＢＣ３Ｆ２は産業系統との３回の交配後、２回自殖した系統であり；ＢＣ２Ｆ３は産業系統との２回の交配後、３回自殖した系統である。
【０１３３】
記載する系統のすべては、収穫時に少なくとも３０グラムの生重量の果実サイズ、および少なくとも７のＢｒｉｘを有する。これらは、すべて限定性であり、そして１回機械収穫に適している。以下の表２に示すように、室温（２５℃）で１週間後、重量は減少し、そして付随して、Ｂｒｉｘは増加する。
【０１３４】
表２
【０１３５】
【表２】
2016527885.tif 000003
【０１３６】
明らかに、試験したすべての系統の収穫した果実は、処理しないまま７日間放置して脱水させた際、室温で８より高いＢｒｉｘ値を示した。
【０１３７】
ハイブリッド系統は、成熟に際して７より高いＴＳＳ、そして収穫時に３０ｇのサイズを示した。結果は未提示。
【０１３８】
実施例２
寄託系統の系図
系統１０４７：
脱水親系統５６０７を、典型的な産業トマト育種系統Ｍ１２０Ｇと交配させた。脱水親系統５６０７は、ｃｗｐ脱水アレルに関してホモ接合性である親系統を交配し、伸長されたプラム果実の形状を系統に導入する目的で、サンマルツァーノトマト品種に２回連続交配のために戻し交配して得たＢＣ２Ｆ３系統である。産業トマト育種系統Ｍ１２０Ｇは、以下の特質によって特徴付けられる：限定生長習性、均一な肩（ｓｈｏｕｌｄｅｒ）、ジョイントレス、赤い果実、楕円形、４．５〜５．０のＢｒｉｘ、Ｉ２に対する耐性。Ｆ１植物を反復育種系統Ｍ１２０Ｇに戻し交配し、そしてこの交配からのＦ３植物をｃｗｐ遺伝子に関して遺伝子型決定して、系統１０４７を生じた。
【０１３９】
系統１０４７の２４の植物の小区画の土地から果実を収穫し、そして実験室に運び、ここで、果実のサンプルの重量を測定し、そして屈折計によってＢｒｉｘを測定した。収穫時、果実は果皮の皺形成によって明らかであるように脱水の徴候を示した。この系統の果実は、収穫時に平均３８グラムであり、Ｂｒｉｘは８．１であった。残りの果実を２５℃の温度でさらに７日間、実験室に残したままにし、その後、重量およびＢｒｉｘを測定した。重量は平均２３グラムであり、そしてＢｒｉｘは１０．０であり、生重量は３９％失われ、そしてＢｒｉｘは２３％増加した。
【０１４０】
系統１０４８
脱水親系統５６００を、典型的な産業トマト育種系統７３６７と交配した。脱水親系統５６００は、ｃｗｐ脱水アレルに関してホモ接合性である親系統を交配し、Ｍ−８２産業トマト品種に２回連続交配のために戻し交配して得たＢＣ２Ｆ４系統である。産業トマト育種系統７３６７は、限定生長習性、均一な肩、ジョイントレス、暗赤色の果実、伸長した形状、Ｖｅ、Ｉ２、Ｎに対する耐性によって特徴付けられる。Ｆ１植物を反復育種系統７３６７に２つの連続するシーズンに２回戻し交配し、そしてこの最後の交配からのＦ２植物をｃｗｐ遺伝子に関して遺伝子型決定して、系統１０４８を生じた。
【０１４１】
系統１０４８の２４の植物の小区画の土地から果実を収穫し、そして実験室に運び、ここで、果実のサンプルの重量を測定し、そして屈折計によってＢｒｉｘを測定した。収穫時、果実は果皮の皺形成によって明らかであるように脱水の徴候を示した。この系統の果実は、収穫時に平均５４グラムであり、Ｂｒｉｘは８．４であった。残りの果実を２５℃の室温でさらに７日間、実験室に残したままにし、その後、重量およびＢｒｉｘを測定した。重量は平均３６グラムであり、そしてＢｒｉｘは１１．２であり、生重量は３３％失われ、そしてＢｒｉｘは３３％増加した。
【０１４２】
本発明は、その特定の態様と組み合わせて記載されてきているが、当業者には、多くの代替法、修飾および変形が明らかであろうことが明らかである。したがって、付随する請求項の精神および広い範囲内に属する、すべてのこうした代替法、修飾および変形を含むことが意図される。
【０１４３】
本明細書に言及されるすべての刊行物、特許および特許出願は、各個々の刊行物、特許または特許出願が、特に、そして個々に、本明細書に援用されると示されるのと同じ度合いまで、その全体が本明細書に援用される。さらに、本出願中のいかなる参考文献の引用または同定も、こうした参考文献が、本発明に対する先行技術として利用可能であったことの承認と見なされるものではない。セクション見出しが用いられる度合いまで、これらは必ずしも限定すると見なされるものではない。
国際出願  ＰＣＴ／ＩＬ２０１４／０５０６７７
寄託微生物又はその他の生物学的材料に関する表示
（ＰＣＴ規則  １３ｂｉｓ）
Ａ．下記の表示は、本願明細書の第５頁、１７、１８行中に言及した寄託微生物又はその他の生物学的材料に関する。
【０１４４】
Ｂ．寄託の同定
寄託機関名：  ＮＣＩＭＢ  Ｌｔｄ．
寄託機関の住所：
フェルガソン・ビルディング、クレイブストン・エステート、
ブックスバム、アバディーン、
ＡＢ２１  ９ＹＡ
スコットランド
寄託日：  ２０１４年８月２０日
寄託番号：  ＮＣＩＭＢ  ４２２７３
以下にも記載
第１４頁、３行、４行
第２７頁、クレーム３３
―――――――――――――――――――――――――――――――――――
国際出願  ＰＣＴ／ＩＬ２０１４／０５０６７７
寄託微生物又はその他の生物学的材料に関する表示
（ＰＣＴ規則  １３ｂｉｓ）
Ａ．下記の表示は、本願明細書の第５頁、１７、１８行中に言及した寄託微生物又はその他の生物学的材料に関する。
【０１４５】
Ｂ．寄託の同定
寄託機関名：  ＮＣＩＭＢ  Ｌｔｄ．
寄託機関の住所：
フェルガソン・ビルディング、クレイブストン・エステート、
ブックスバム、アバディーン、
ＡＢ２１  ９ＹＡ
スコットランド
寄託日：  ２０１４年８月２０日
寄託番号：  ＮＣＩＭＢ  ４２２７２
以下にも記載
第１４頁、３行、４行
第２７頁、クレーム３３
【０１４６】
【表３−１】
2016527885.tif 000004
【０１４７】
【表３−２】
2016527885.tif 000005
【０１４８】
【表３−３】
2016527885.tif 000006
【０１４９】
【表３−４】
2016527885.tif 000007
【０１５０】
【表３−５】
2016527885.tif 000008
【図１Ａ】
2016527885.tif 000009
【図１Ｂ】
2016527885.tif 000010
【図１Ｃ】
2016527885.tif 000011
【図１Ｄ】
2016527885.tif 000012
【図１Ｅ】
2016527885.tif 000013
【図１Ｆ】
2016527885.tif 000014
【図１Ｇ】
2016527885.tif 000015
【図２】
2016527885.tif 000016
【国際調査報告】
2016527885.tif 000017
2016527885.tif 000018
2016527885.tif 000019